(57)【要約】【課題】骨盤の矯正を可能としつつ、体圧分散性にも優れるクッションを提供する。【解決手段】クッション１は、下層材２と、下層材２上で左右対称に配置される弾性体（ゲル９，９・・）と、弾性体上に配置され、上面４ａが中央から左右両側へ行くに従って高くなるテーパ状となり、テーパ面が弾性体の上方に位置する上層材４と、を含んでなる。【選択図】図３
2014079372.tif 000002
【特許請求の範囲】
【請求項１】
下層材と、
前記下層材上で左右対称に配置される弾性体と、
前記弾性体上に配置され、上面が中央から左右両側へ行くに従って高くなるテーパ状となり、テーパ面が前記弾性体の上方に位置する上層材と、
を含んでなるクッション。
【請求項２】
前記弾性体は、前記下層材の前後方向の中心よりも後方のエリアから前方のエリアへ突出するように配置されていることを特徴とする請求項１に記載のクッション。
【請求項３】
前記弾性体は、後方のエリアでは左右方向の中心を除いて配置されることを特徴とする請求項１又は２に記載のクッション。
【請求項４】
前記下層材と前記上層材との間に、下地と上地とを有して前記下地と前記上地との間に前記弾性体を介在させた中層材を設けて、前記弾性体を前記中層材の左右の両縁部に沿って配置したことを特徴とする請求項１乃至３の何れかに記載のクッション。
【請求項５】
前記上層材の上方に、布製の座板が設けられることを特徴とする請求項１乃至４の何れかに記載のクッション。
【請求項６】
前記弾性体は、複数に分割されることを特徴とする請求項１乃至５の何れかに記載のクッション。
【発明の詳細な説明】
【技術分野】
【０００１】
本発明は、椅子等の上に置いて使用されるクッションに関する。
【背景技術】
【０００２】
クッションには、人が座った際の座り心地を良くする他、座った姿勢の改善効果を狙ったものも開発されている。例えば特許文献１には、骨盤の歪み、緩みを矯正するために、骨盤を左右から締め付けるために凹状に形成された、弾性体からなる骨盤載置部の座面背中側に、仙骨の腰仙角を保持するための支持部を設けた骨盤矯正クッションの発明が開示されている。
【先行技術文献】
【特許文献】
【０００３】
【特許文献１】特開２００８−１２６０２５号公報
【特許文献２】特許第４２２１９５２号公報
【発明の概要】
【発明が解決しようとする課題】
【０００４】
特許文献１の骨盤矯正クッションは、骨盤の矯正効果はあるものの、体圧分散には秀でていない。一方、特許文献２には、低硬度エラストマー樹脂やゲル体からなる柱状部材を用いた弾性体ユニットが開示されているため、体圧分散性を得るためにこのような柱状部材を併用することが考えられる。しかし、この弾性体ユニットにおいては柱状部材を均等に配列しているため、体圧分散には不十分となっている。
【０００５】
そこで、本発明は、骨盤の矯正を可能としつつ、体圧分散性にも優れるクッションを提供することを目的としたものである。
【課題を解決するための手段】
【０００６】
上記目的を達成するために、請求項１に記載の発明は、下層材と、下層材上で左右対称に配置される弾性体と、弾性体上に配置され、上面が中央から左右両側へ行くに従って高くなるテーパ状となり、テーパ面が弾性体の上方に位置する上層材と、を含んでなることを特徴とするものである。
請求項２に記載の発明は、請求項１の構成において、弾性体は、下層材の前後方向の中心よりも後方のエリアから前方のエリアへ突出するように配置されていることを特徴とするものである。
請求項３に記載の発明は、請求項１又は２の構成において、弾性体は、後方のエリアでは左右方向の中心を除いて配置されることを特徴とするものである。
請求項４に記載の発明は、請求項１乃至３の何れかの構成において、下層材と上層材との間に、下地と上地とを有して下地と上地との間に弾性体を介在させた中層材を設けて、弾性体を中層材の左右の両縁部に沿って配置したことを特徴とするものである。
請求項５に記載の発明は、請求項１乃至４の何れかの構成において、上層材の上方に、布製の座板が設けられることを特徴とするものである。
請求項６に記載の発明は、請求項１乃至５の何れかの構成において、弾性体は、複数に分割されることを特徴とするものである。
【発明の効果】
【０００７】
請求項１に記載の発明によれば、下層材と、下層材上で左右対称に配置される弾性体と、弾性体上に配置され、上面が中央から左右両側へ行くに従って高くなるテーパ状となり、テーパ面が弾性体の上方に位置する上層材と、を含んでなるクッションとしたことで、骨盤の矯正を可能としつつ、体圧分散性にも優れたものとなる。
請求項２に記載の発明によれば、請求項１の効果に加えて、弾性体を、下層材の前後方向の中心よりも後方のエリアから前方のエリアへ突出するように配置したことで、臀部を安定して支持でき、体圧分散効果も向上する。
請求項３に記載の発明によれば、請求項１又は２の効果に加えて、弾性体を、後方のエリアでは左右方向の中心を除いて配置したことで、臀部をバランス良く支持可能となる。
請求項４に記載の発明によれば、請求項１乃至３の何れかの効果に加えて、下層材と上層材との間に、下地と上地とを有して下地と上地との間に弾性体を介在させた中層材を設けて、弾性体を中層材の左右の両縁部に沿って配置したことで、弾性体がずれにくくなって下層材と上層材との間で安定配置可能となる。
請求項５に記載の発明によれば、請求項１乃至４の何れかの効果に加えて、上層材の上方に、布製の座板を設けたことで、肌触りが良くなって使用感が向上する。
請求項６に記載の発明によれば、請求項１乃至５の何れかの効果に加えて、弾性体を複数に分割したことで、体圧分散効果に優れたものとなる。
【図面の簡単な説明】
【０００８】
【図１】クッションの斜視図である。
【図２】クッションの説明図で、（Ａ）が正面、（Ｂ）が平面、（Ｃ）が側面をそれぞれ示す。
【図３】クッションの分解断面図である。
【図４】中層材の平面図である。
【図５】（Ａ）はＡ−Ａ線断面図、（Ｂ）はＢ−Ｂ線断面図である。
【発明を実施するための形態】
【０００９】
以下、本発明の実施の形態を図面に基づいて説明する。
図１は、クッションの一例を示す斜視図、図２は、クッションの正面、平面、側面をそれぞれ示す図である。クッション１は、図２（Ｂ）に示す左右方向の中央にくびれ部を形成した平面視長円状で、上面１ａは、左右方向の中央が最も低く、そこから左右両側へ行くに従って徐々に高くなるＶ字状（テーパ状）に形成されている。
このクッション１は、図３に示すように、下層材２と、下層材２上に載置される中層材３と、中層材３上に載置される上層材４と、中層材３と上層材４とを覆うカバー５とを有している。
【００１０】
まず下層材２は、３Ｄ状に絡み合った繊維樹脂材（３Ｄメッシュ材）からなり、外周には、カバー５の下端外周と結合されるファスナー６が設けられている。
次に中層材３は、下層材２と同じ３Ｄメッシュ材からなる下地７上に、メッシュ生地からなる同形状の上地８を重ねて外周全体を縫製したものであるが、下地７と上地８との間には、図４に示すように、平面視が円形で所定の厚みを有する弾性体としての８つのゲル９，９・・が介在されている。このゲル９，９・・は、中層材３の左右に分かれて４つずつ、中層材３の外周に沿って円弧状に配列されている。この配列状態でゲル９，９・・は、前後方向（図４の下側を前方とする。）の中心線Ｌ１よりも後方のエリアに略収まっているが、先頭のゲル９（他のゲル９と区別するために（Ａ）の符号を付す）は、中心線Ｌ１よりも前方のエリアに突出して配置されている。
【００１１】
また、各ゲル９は、図４にも示すように、点線で示す縫製ライン１０において下地７と上地８とを縫製することで外周に沿って区画形成される収容室１１，１１・・内に１つずつ収容されている。これにより、左右対称で円弧状としたゲル９の配列が崩れないようになっている。さらに、左右の最後尾のゲル９（他のゲル９と区別するために（Ｂ）の符号を付す）の間で、中層材３の後部に区画形成される後部収容室１２内には、下層材２と同じ３Ｄメッシュ材からなり、ゲル９よりも厚みの小さい板状のクッション材１３が収容されている。
【００１２】
そして、上層材４は、下層材２と同じ３Ｄメッシュ材からなり、中央と左右とで厚みを変えることで、上面４ａを、中央が最も低く、そこから左右両側へ行くに従って徐々に高くなるＶ字状に形成している。この上層材４によってクッション１の上面１ａのテーパ状が維持される。
なお、カバー５は布生地で、カバー５の裏面において上層材４の上面と対向する部分には、布製の座板１４が縫製されている。
【００１３】
以上の如く構成されたクッション１においては、下層材２上に、ゲル９，９・・を収容した中層材３をセットし、その上に上層材４をセットした状態で、上方からカバー５で覆って下層材２の外周とカバー５の外周との間でファスナー６を閉じると、図１，２に示すクッション１が得られる。この状態で上層材４の上面４ａの左右のテーパ面、すなわちクッション１の上面１ａの左右のテーパ面は、左右のゲル９，９・・の配列の上方にそれぞれ位置することになる。
【００１４】
こうして得られたクッション１は、上層材４によって上面１ａがＶ字状となっているため、人が座った際には臀部が左右両側から中央に向けて押圧され、骨盤の矯正効果が得られる。また、中層材３にはゲル９，９・・が左右対称に配置されているため、体圧分散効果も得られる。さらに、下層材２及び中層材３、上層材４に３Ｄメッシュ材が用いられているため、好適な通気性も確保される。
【００１５】
このように、上記形態のクッション１によれば、下層材２と、下層材２上で左右対称に配置される弾性体（ゲル９，９・・）と、弾性体上に配置され、上面が中央から左右両側へ行くに従って高くなるテーパ状となり、テーパ面が弾性体の上方に位置する上層材４と、を含んでなる構成としたことで、骨盤の矯正を可能としつつ、体圧分散性にも優れたものとなる。
【００１６】
特にここでは、ゲル９，９・・を、下層材２の前後方向の中心線Ｌ１よりも後方のエリアから前方のエリアへ突出するように配置しているので、臀部を安定して支持でき、体圧分散効果も向上する。
また、ゲル９を、後方のエリアでは左右方向の中心を除いて配置しているので、臀部をバランス良く支持できる。
またさらに、下層材２と上層材４との間に、下地７と上地８とを有して下地７と上地８との間にゲル９，９・・を介在させた中層材３を設けて、ゲル９，９・・を中層材３の左右の両縁部に沿って配置したことで、ゲル９，９・・がずれにくくなって下層材２と上層材４との間で安定配置可能となる。
さらに、上層剤４の上方に布製の座板１４を設けたことで、肌触りが良くなって使用感が向上する。
そして、弾性体を複数のゲル９，９・・に分割しているので、体圧分散効果に優れたものとなる。
【００１７】
なお、上記形態では、クッションの上面がＶ字となるテーパ状としているが、上層材の上面の形状の変更により、左右方向の中央を平坦面や湾曲面としたテーパ状としても差し支えない。
また、弾性体としてはゲルに限らず、ゴムやウレタン等の他の種類のものを用いることもできるし、弾性体の硬さを変えたり（後方側を前方側よりも硬くする）、大きさや高さを変えたりする（後方側を前方側よりも大きくする、後方側を前方側よりも高くする）こともできる。勿論弾性体の形状も円形以外に、四角形や多角形等を採用することも可能である。
【００１８】
さらに、弾性体の配置は円弧状以外に，への字状や直線状等に配置することも可能であるし、一列でなく複数列配置することも可能である。従って、弾性体の数は８つに限らず、適宜増減可能である。但し、弾性体は複数に分割されるものに限らず、一体の円弧状や直線状のものを左右対称に配置することもできる。
【００１９】
そして、上記形態では、下地と上地とを有する中層材に弾性体をセットするようにしているが、上地を省略してゲル等の弾性体を下地に接着するようにしたり、下地も省略して弾性体を下層材上に直接接着するようにしたりしてもよい。
その他、クッションの全体形状も、くびれの前後何れか一方をなくしたり、くびれの両方をなくして略完全な長円形状としたり、平面視を長円形状でなく楕円や円形、矩形としたり等、適宜変更可能である。下層材や中層材、上層材に用いられる材質も上記形態に限らず、適宜変更して差し支えない。
【符号の説明】
【００２０】
１・・クッション、１ａ・・上面、２・・下層材、３・・中層材、４・・上層材、４ａ・・上面、５・・カバー、７・・下地、８・・上地、９・・ゲル、１１・・収容室、１３・・クッション材、１４・・座板。
【図１】
2014079372.tif 000003
【図２】
2014079372.tif 000004
【図３】
2014079372.tif 000005
【図４】
2014079372.tif 000006
【図５】
2014079372.tif 000007